(57)【要約】      （修正有）【課題】生きている植物を送付するために用いられ、特に、簡単な構成で容易に送付することに適する植物送付用容器を提供する。【解決手段】送付する植物を収容する容器本体と、容器本体の内部に入れられる植物を保護するための保護部材２と、植物の容器本体内における位置ずれを防止するための位置ずれ防止部材３と、植物の送付時に生じる植物の乾燥防止に必要な水分を補給するための保水部材４と、保水部材４の水分が外部に漏れることを防止するための漏水防止部材５と、を備え、容器本体は、扁平形状に形成されている。【選択図】図３
0003197877.tif 000002
【実用新案登録請求の範囲】
【請求項１】
生きている植物を送付するために用いられる容器であって、
送付する植物を収容する容器本体と、
前記容器本体の内部に入れられる植物を保護するための保護部材と、
前記植物の容器本体内における位置ずれを防止するための位置ずれ防止部材と、
前記植物の送付時に生じる植物の乾燥防止に必要な水分を補給するための保水部材と、
前記保水部材の水分が外部に漏れることを防止するための漏水防止部材と、
を備え、
前記容器本体は、扁平形状に形成されていることを特徴とする植物送付用容器。
【請求項２】
請求項１に記載の植物送付用容器において、
前記容器本体の表面には、宛先を記載したラベルや切手を貼付するためのラベル貼付部が設けられており、容器ごと送付することが可能に構成されていることを特徴とする植物送付用容器。
【考案の詳細な説明】
【技術分野】
【０００１】
本考案は、生きている植物を送付するために用いられる容器に関する。
【背景技術】
【０００２】
生きている植物は、鑑賞用や癒し効果を奏するものとして人気が高まっている。特に、山野に生息する珍しい植物を都市部に居住する人々に生きたまま送ることができると、送られた人は、都市部においてこのような植物を栽培し、鑑賞することができるので、都市部の殺伐とした環境であっても日々の生活が潤い、精神的に癒されるといった効果を奏する。
【０００３】
このような植物は、生産元や販売店から直接購入して持ち帰るだけでなく、贈り物として販売店や購入者から郵送や宅配などの方法を用いて所望の送り先まで送付したり、インターネットなどを介して注文し、販売先から発送するといった方法で送付される。
【０００４】
しかし、生きている植物を送付する際に植物が損傷しないように保護することや、その植物の鮮度を保持したまま送付することは、極めて困難である。
【０００５】
そこで、従来、ペットボトル容器を利用して、当該容器に保水用の水を貯溜しておき、この容器に生花を挿入して郵送することができる容器が提案されている（例えば、特許文献１参照。）。
【先行技術文献】
【特許文献】
【０００６】
【特許文献１】特開２００２−１９３３７０号公報
【考案の概要】
【考案が解決しようとする課題】
【０００７】
上記した特許文献１記載の容器は、ペットボトル容器を利用しているので、嵩張ってしまい、容易に郵送できないといった問題があった。また、ペットボトル容器の天地を逆向きにして、開閉できる捩じ込み式の蓋を上部に設けて、生花の出し入れが可能に構成されている。一方で下部は、飲み口部の捩じ込み栓により開閉可能に構成されているため、輸送中に捩じ込み式の蓋または捩じ込み栓が緩んだ場合には、容器内部の水が外部に漏れるといった問題が生じる。
【０００８】
本考案は、このような事情に鑑み創案されたもので、生きている植物を送付するために用いられ、特に、簡単な構成で容易に送付することに適する植物送付用容器を提供するものである。
【課題を解決するための手段】
【０００９】
本考案は、生きている植物を送付するために用いられる容器であって、送付する植物を収容する容器本体と、前記容器本体の内部に入れられる植物を保護するための保護部材と、前記植物の容器本体内における位置ずれを防止するための位置ずれ防止部材と、前記植物の送付時に生じる植物の乾燥防止に必要な水分を補給するための保水部材と、前記保水部材の水分が外部に漏れることを防止するための漏水防止部材と、を備え、前記容器本体は、扁平形状に形成されていることを特徴とする。
【００１０】
この考案によれば、生きている植物を、保護部材によって保護するとともに、位置ずれ防止部材によって、植物が容器本体内部でその位置がずれることを防止して、容器本体に収容することができる。したがって、送付中に植物が損傷することが防止できる。
【００１１】
また、保水部材により、送付時に生じる植物の乾燥防止に必要な水分を補給することができるので、植物の鮮度を保持しながら送付することができる。
【００１２】
さらに、漏水防止部材により保水部材の水分が外部に漏れることが防止できるので、送付中に容器から水分が漏出して他の荷物等を濡らしてしまうといった問題が防止できる。
【００１３】
さらにまた、容器本体は扁平形状に形成されているので、容器本体を郵送用封筒や宅配用封筒に挿入することにより、簡便な郵便物や宅配荷物として低価格で送付することができる。
【００１４】
また、本考案の植物送付用容器は、上記した植物送付用容器において、前記容器本体の表面には、宛先を記載したラベルや切手を貼付するためのラベル貼付部が設けられており、容器ごと送付することが可能に構成されていることを特徴とする。
【００１５】
この考案によれば、宛先を記載したラベルや切手を容器本体に貼付するだけで、容器ごと容易に植物を送付することができる。
【考案の効果】
【００１６】
本考案によれば、簡単な構成で容易に送付することに適する植物送付用容器を提供することができる。
【図面の簡単な説明】
【００１７】
【図１】本考案に係る植物送付用容器の一実施形態を示す斜視図である。
【図２】図１に示す植物送付用容器の使用状態を示す斜視図である。
【図３】図１に示す植物送付用容器の使用状態を示す斜視図である。
【図４】図１に示す植物送付用容器の他の例を示す斜視図である。
【図５】本考案に係る植物送付用容器の他の実施形態における容器本体の展開図である。
【図６】図５に示す容器本体を用いた植物送付用容器の使用状態を説明する概略図である。
【図７】図６に示す植物送付用容器の使用状態の他の例を説明する図である。
【考案を実施するための形態】
【００１８】
以下、本考案の実施の形態について、図面を参照して説明する。
＜第１実施形態＞
本実施形態に係る植物送付用容器１は、送付する植物を収容する容器本体１０と、容器本体の内部に入れられる植物を保護するための保護部材２と、植物の容器本体１０内における位置ずれを防止するための位置ずれ防止部材３と、植物の送付時に生じる植物の乾燥防止に必要な水分を補給するための保水部材４と、保水部材４の水分が外部に漏れることを防止するための漏水防止部材５と、を備えている。
【００１９】
容器本体１０は、図１に示すように、合成樹脂で形成された扁平な直方体形状の箱体であって、底体１１と蓋体１２とがヒンジ１３を介して開閉可能に連結されている。
【００２０】
また、ヒンジ１３が形成された辺と対向する辺には、ロック部材１４が設けられており、底体１１と蓋体１２とを閉じた状態でロックされるようになされている。このロック部材１４は、底体１１に回動可能に取り付けられたロック片１４１と、このロック片１４１と嵌合することにより蓋体１２に固定するロック突部１４２とから構成されている。
【００２１】
底体１１の底面は載置部１１０とされており、この載置部１１０上に送付する植物を載置するようになされている。
【００２２】
また、容器本体１０の厚さ、すなわち、底体１１と蓋体１２の高さ寸法の合計は、１ｃｍ以内に設定され、縦と横の長さが、それぞれ２３．５ｃｍ、１２センチ以内に設定されていることが望ましい。このようなサイズであれば、郵送するに際し定型郵便物として低廉な価格で送付することができるので好適である。
【００２３】
なお、容器本体１０のサイズは上記したものに限られるのではなく、送付する植物の大きさや量に応じて適宜設定される。
【００２４】
さらに、図２に示すように、蓋体１２の上面には、宛先を記載したラベルや切手を貼付するためのラベル貼付部１２０が設けられており、容器ごと送付することが可能に構成されている。
【００２５】
なお、ラベル貼付部１２０は、本実施の形態の場合、蓋体１２の上面がフラットに形成されていることから、特に境界線のようなものを設けて他の部分と区別する必要はなく、蓋体１２の表面の任意の位置にラベルや切手を貼付することが可能である。
【００２６】
また、容器本体１０は、扁平形状に形成されているので、郵送用や宅配用の封筒に入れて、簡単に送付することも可能である。したがって、簡便な郵便物や宅配荷物として低廉な価格で送付することができる。この際、防水加工を施した封筒や気泡緩衝材を内面に配置した封筒を使用すると、防水効果や保護効果がさらに向上するため、好適である。
【００２７】
容器本体１０の蓋体１２の内面のほぼ中央部には、弾性力を備えたクッション部材３０が内側に向かって突出するように設けられている。これは、底体１１の載置部１１０のほぼ中央部には、通常、植物の茎が載置されることから、蓋体１２を閉じた状態で、植物の茎にクッション部材３０が当接するように図られたものである。したがって、クッション部材３０の弾性力によって茎が押圧されることにより、植物の位置のずれが防止され、位置ずれ防止部材３として機能している。また、クッション部材３０が植物の茎に対して緩衝材として作用することにより茎が保護される効果も奏している。
【００２８】
クッション部材３０は、例えばスポンジで形成されたテープ材が好適に適用されるが、スポンジに限定されるものではなく、ダンボールや梱包に用いられる気泡緩衝材等でも良い。また、クッション部材３０は、蓋体１２に設けるだけでなく、蓋体１２に設けたクッション部材３０と対向する位置の底体１１にも設けても良い。このようにすれば、蓋体１２のクッション部材３０と底体１１のクッション部材３０の双方で茎を挟むことができるので、茎の位置ずれを防止したり保護する効果をさらに向上させることができる。
【００２９】
また、このように、容器本体１０の底体１１の載置部１１０上に、植物の根、茎、花が載置されるが、茎を粘着テープ３１を使用して固定しても良い(図３参照)。このように粘着テープ３１で固定した場合は、クッション部材３０を設けなくても、植物の位置ずれを防止する効果を奏する。
【００３０】
なお、茎を固定するのは、粘着テープ３１が好適に使用されるが、茎を保護するために茎の外周面を紙片等で被覆した上から粘着テープ３１で固定しても良い。
【００３１】
保水部材４は、植物の送付時に生じる植物の乾燥防止に必要な水分を補給するためのものであって、必要量の水分が補給できれば十分である。そのため、例えば、綿花、海綿、スポンジ、紙に水分を浸したものや、水ゴケに水分を吹き付けたものが好適に使用できる。
【００３２】
保水部材４（例えば、水ゴケ４０）は、その水分が外部に漏れることを防止するために、漏水防止部材５が設けられている。この漏水防止部材５は、例えば、保水部材４を水密状態になるようにビニール袋５０で覆うといった部材が利用される。したがって、植物送付用容器１から水分が漏出して、送付中に他の荷物等を濡らしてしまうといった不都合が防止できる。
【００３３】
また、植物を保護するために保護部材２が設けられる。この保護部材２は、少なくとも、植物の花の部分を覆うことが必要であるが、植物全体を覆うものであっても良い。保護部材２としては、柔らかい紙や不織布、綿花で形成されたシート材等が好適に使用される。
【００３４】
次に、このように構成された植物送付用容器１を使用して生きている植物を送付する方法について説明する。
【００３５】
まず、送付する者は、植物送付用容器１の蓋体１２を開けて、送付する植物を底体１１の載置部１１０上に載置する。
【００３６】
次に、根の部分を水分を含有させた水ゴケ４０で被覆し、その上からビニール袋５０で覆い、袋の開口部から水が漏れないように開口部を止める。この開口部を止める手段は、粘着テープや輪ゴム等を使用すれば良い。
【００３７】
続いて、茎の部分を粘着テープ３１を用いて載置部１１０に固定する。そして、花の部分を柔らかい紙２０で被覆して保護する。
【００３８】
なお、茎の部分の固定と花の部分の保護の順序は、逆であっても良い。また、花の部分だけでなく、植物全体を柔らかい紙２０で被覆しても良い。
【００３９】
次に、蓋体１２と底体１１とを閉じる。このときには、蓋体１２に設けられたクッション部材３０が植物の茎に当接するので、茎が保護されるとともに、茎の位置ずれが防止される。
【００４０】
続いて、ロック部材１４のロック片１４１を回動させてロック突部１５２に嵌め入れて、たとえ外部から力が加わった場合であっても不測に開かないようにロックする。
【００４１】
なお、より一層強固にロックするために、蓋体１２と底体１１との境界を粘着テープで固定しても良い。
【００４２】
以上、本実施の形態について、図１ないし３で示す容器本体１０について説明したが、容器本体１０は上記のものに限られるものではなく、例えば、図４に示すように、周囲にフランジ部６１、６２をそれぞれ設けた底体１１と蓋体１２で構成し、底体１１と蓋体１２のフランジ部６１、６２に互いに嵌合する嵌合凸部６３と嵌合凹部６４とを複数個設けたもので構成しても良い。
【００４３】
この場合は、ロック部材１４を別部材として設けなくても、フランジ部６１，６２の嵌合凸部６３と嵌合凹部６４とを互いに嵌合するだけで、底体１１と蓋体１２とをロックすることができる。
＜第２実施形態＞
次に、本発明の第２実施形態について説明する。
【００４４】
この実施形態は、上記した第１実施形態と主要な部分は共通しているため、異なる部分を詳細に説明し、共通する部分についての説明は省略する。
【００４５】
本実施形態に係る植物送付用容器１の容器本体１０は、図５、図６に示すように、合成樹脂や厚紙で形成され、下辺の断面が扁平な楕円形状であって、下辺１０ｂから上辺１０ａに向かって楕円形状が漸次扁平になり、上辺１０ａでは蓋体と底体とが接している形状の容器である。
【００４６】
この容器本体１０は、図５に示す展開図のとおり、底体１１と、蓋体１２と、襠部７とを備えている。
【００４７】
底体１１と蓋体１２とは、一方の側辺において連結されており、他方の側辺は、糊代部８１を介して張り合わされるように構成されている。
【００４８】
襠部７は、底体１１および蓋体１２の下辺１０ｂ側に形成されている一対の襠形成片７１、７２により構成されており、襠形成片７１、７２を折り曲げることにより襠部７が形成されるようになされている。
【００４９】
襠形成片７１、７２は、底体１１および蓋体１２の下部に形成されており、なだらかな曲線を描く折り曲げ線７０に沿って折り曲げることにより、底体１１および蓋体１２から立ち上がるように設計され、扁平な楕円形状の襠部７を構成するようになされている。
【００５０】
また、底体１１の襠形成片７１の先端側には差し込み部７３が設けられている。一方、蓋体１２の襠形成片７２には、この差し込み部７３を受け入れる切欠部７４が形成され、差し込み部７３が切欠部７４に嵌め込まれることで、襠部７が形成される。
【００５１】
なお、襠部７はその厚みが、５ｍｍから８ｍｍ程度に設定され、容器本体１０を封筒に入れたときの厚さが１ｃｍ以内になるのが好ましい。また、容器本体１０を組み立てたときの縦と横の長さが、それぞれ２３．５ｃｍ、１２センチ以内に設定されていることが望ましい。このようなサイズであれば、郵送するに際し定型郵便物として低廉な価格で送付することができるので好適である。
【００５２】
底体１１の襠部７が形成された反対側は、蓋体１２よりも長く形成されており、フラップ部８２を構成している。このフラップ部８２は、容器本体１０を組み立てたときに、折り曲げて蓋体１２の上辺１０ａに被せることにより、底体１１と蓋体１２の上辺１０ａを閉塞するようになされている。
【００５３】
容器本体１０を封筒に挿入する際は、底体１１と蓋体１２の上辺１０ａ側から挿入すると、厚みが薄いので、容易に挿入できる。
【００５４】
また、一般的に花の方が根よりも厚みがあるため、底体１１の上辺１０ａ側に根が載置するように植物を載置部１１０上に載置することが好ましい。
【００５５】
その他、保護部材２、位置ずれ防止部材３、保水部材４、漏水防止部材５については、上記した第１実施形態と同様である。
【００５６】
次に、このように構成された植物送付用容器１を使用して生きている植物を送付する方法について説明する。
【００５７】
まず、送付する者は、植物送付用容器１の底体１１の載置部１１０上において、上辺１０ａ側に根の部分が位置するように植物を載置する。
【００５８】
次に、根の部分を水分を含有させた水ゴケ４０で被覆し、その上からビニール袋５０で覆い、袋の開口部から水が漏れないように開口部を止める。この開口部を止める手段は、粘着テープや輪ゴム等を使用すれば良い。
【００５９】
続いて、茎の部分を粘着テープ３１を用いて載置部１１０に固定する。そして、花の部分を柔らかい紙２０で被覆して保護する。なお、茎の部分の固定と花の部分の保護の順序は、逆であっても良い。また、花の部分だけでなく、植物全体を柔らかい紙２０で被覆しても良い。
【００６０】
次に、襠形成片７１の差し込み部７３を切欠部７４に差し込むことによって襠部７を形成する。その後、底体１１の糊代部８１を蓋体１２に重ね合わせ、粘着テープや糊で固定して、容器本体１０を組み立てる。
【００６１】
続いて、底体１１のフラップ部８２を蓋体１２に重ね合わせて粘着テープや糊で固定する。
【００６２】
このようにして組み立てた容器本体１０を封筒に挿入し、郵送や宅配荷物として発送する。
【００６３】
なお、この植物送付用容器１の使用方法は、上記に限られるものではなく、例えば、図６に示すように、容器本体１０の内部に挿入可能な固定板９を備え、この固定板９に送付する植物を固定し、保護部材２で保護したものを、予め組み立てた容器本体１０内に挿入し、フラップ部８２で閉じるようにしたものであっても良い。
【００６４】
この場合の固定手段は、粘着テープに限られるものではなく、例えば図７に示すように、固定板９に切り込み部９１，９２を形成し、この切り込み部９１と切り込み部９２の間に茎部を挟むようにしても良い。
【００６５】
なお、切り込み部は上記した２か所に限るものではなく、３か所以上設けても良い。この場合は、２か所よりも多くの切り込み部で茎を挟むことにより、位置ずれ防止の効果が一層高まることになる。
【００６６】
以上、本実施の形態について、図５に示す容器本体１０について説明したが、容器本体１０は上記に限られるものではない。
【産業上の利用可能性】
【００６７】
本考案は、生きている植物を送付するために用いられ、特に、簡単な構成で容易に送付することに適する植物送付用容器に適用できる。
【符号の説明】
【００６８】
１    植物送付用容器
１０  容器本体
１１  底体
１２  蓋体
１２０  ラベル貼付部
２、２０    保護部材
３、３０    位置ずれ防止部材
４、４０    保水部材
５、５０    漏水防止部材
【図１】
0003197877.tif 000003
【図２】
0003197877.tif 000004
【図３】
0003197877.tif 000005
【図４】
0003197877.tif 000006
【図５】
0003197877.tif 000007
【図６】
0003197877.tif 000008
【図７】
0003197877.tif 000009